(57)【要約】【課題】ユーザビリティが向上した生体情報センサ及び生体情報表示システムを提供する。【解決手段】患者の手指に装着される生体情報センサ１は、患者から生体情報を取得するように構成された発光部１８及び受光部１９と、通信ネットワーク上に配置されたＷＥＢサーバによって提供される電子コンテンツにアクセス可能なＵＲＬ情報が保存されたメモリ１７とを備える。生体情報センサ１が生体情報表示装置２に通信可能に接続された場合に、ＵＲＩ情報がメモリ１７から生体情報表示装置２に送信される。電子コンテンツは、使用される生体情報センサ１に関連した情報を含む。【選択図】図２
2019175285.tif 000002
【特許請求の範囲】
【請求項１】
被検者の生体組織から生体情報を取得する生体情報センサであって、
前記被検者から生体情報を取得するように構成されたセンサ部と、
通信ネットワーク上に配置されたＷＥＢサーバによって提供される電子コンテンツにアクセス可能なＵＲＩ情報が保存されたメモリと、
を備え、
前記生体情報センサが生体情報表示装置に通信可能に接続された場合に、前記ＵＲＩ情報が前記メモリから前記生体情報表示装置に送信され、
前記電子コンテンツは、前記生体情報センサに関連した情報を含む、
生体情報センサ。
【請求項２】
前記生体情報センサに関連した情報は、当該生体情報センサの操作マニュアルに関連した情報を含む、請求項１に記載の生体情報センサ。
【請求項３】
前記生体情報センサに関連した情報は、
第１の言語で記載された前記生体情報センサに関連した情報と、
前記第１の言語とは異なる第２の言語で記載された前記生体情報センサに関連した情報と、を含む、請求項１又は２に記載の生体情報センサ。
【請求項４】
前記電子コンテンツは、
前記第１の言語で記載された前記生体情報センサに関連した情報を含む第１の電子コンテンツと、
前記第２の言語で記載された前記生体情報センサに関連した情報を含む第２の電子コンテンツと、を含み、
前記ＵＲＩ情報は、
前記第１の電子コンテンツにアクセス可能な第１のＵＲＩ情報と、
前記第２の電子コンテンツにアクセス可能な第２のＵＲＩ情報と、
を含む、請求項３に記載の生体情報センサ。
【請求項５】
前記生体情報センサが前記生体情報表示装置に物理的に接続された場合に、前記ＵＲＩ情報が前記メモリから前記生体情報表示装置に送信される、請求項１から４のうちいずれか一項に記載の生体情報センサ。
【請求項６】
前記生体情報センサは、パルスオキシメータであって、
前記センサ部は、
前記被検者の生体組織に向けて光を出射するように構成された発光部と、
前記発光部から出射されて、前記生体組織を通過または反射した光を受光するように構成された受光部と、
を含む、請求項１から５のうちいずれか一項に記載の生体情報センサ。
【請求項７】
被検者の生体組織から生体情報を取得する生体情報センサと、前記生体情報センサに通信可能に接続される生体情報表示装置とを備える生体情報表示システムであって、
前記生体情報センサは、
前記被検者から生体情報を取得するように構成されたセンサ部を備え、
前記生体情報表示装置は、
前記センサ部から前記生体情報を取得し、
通信ネットワーク上に配置されたＷＥＢサーバによって提供される電子コンテンツにアクセス可能なＵＲＩ情報を参照することで、前記ＷＥＢサーバから前記電子コンテンツを取得し、
前記取得された電子コンテンツを表示する、
ように構成され、
前記生体情報センサが生体情報表示装置に通信可能に接続された場合に、前記生体情報表示装置は、前記ＵＲＩ情報を参照することで前記ＷＥＢサーバから前記電子コンテンツを取得し、
前記電子コンテンツは、前記生体情報センサに関連した情報を含む、
生体情報表示システム。
【請求項８】
前記生体情報センサは、前記ＵＲＩ情報が保存されたメモリをさらに備え、
前記生体情報センサが生体情報表示装置に通信可能に接続された場合に、前記生体情報表示装置は、前記メモリから前記ＵＲＩ情報を取得し、前記取得されたＵＲＩ情報を参照することで前記ＷＥＢサーバから前記電子コンテンツを取得する、
請求項７に記載の生体情報表示システム。
【請求項９】
前記電子コンテンツは、複数の電子コンテンツを含み、
前記複数の電子コンテンツの各々は、複数の言語のうちの対応する一つの言語で記載された前記生体情報センサに関連した情報を含み、
前記ＵＲＩ情報は、複数のＵＲＩ情報を含み、
前記複数のＵＲＩ情報の各々は、前記複数の電子コンテンツのうちの対応する一つにアクセス可能であり、
前記生体情報表示装置は、
前記生体情報表示装置の位置情報を取得し、
前記取得された位置情報に基づいて、前記複数のＵＲＩ情報のうちの一つを選択し、
前記選択されたＵＲＩ情報を参照して、前記ＷＥＢサーバから、前記選択されたＵＲＩ情報に対応する電子コンテンツを取得し、
前記取得された電子コンテンツを表示する、
請求項７又は８に記載の生体情報表示システム。
【発明の詳細な説明】
【技術分野】
【０００１】
本開示は、生体情報センサ及び生体情報表示システムに関する。
【背景技術】
【０００２】
被検者の手指等にプローブを装着することで被検者の生体情報（例えば、動脈血酸素飽和度（ＳｐＯ２）や脈拍数等）を測定可能なパルスオキシメータが開示されている（例えば、特許文献１を参照）。特許文献１の開示によれば、発光部と受光部を備えるプローブが被検者の手指に装着され、受光部から取得された電気信号に基づいて被検者の生体情報が取得される。
【先行技術文献】
【特許文献】
【０００３】
【特許文献１】特開平７−２３６６２５号公報
【発明の概要】
【発明が解決しようとする課題】
【０００４】
ところで、パルスオキシメータ等の生体情報センサの使用経験が浅い医療従事者は、生体情報センサを使用する際に当該生体情報センサの操作方法、当該生体情報センサの仕様、又は被検者の処置状態等を参照することが考えられる。この点において、従来では、生体情報センサを購入する際には、生体情報センサには、生体情報センサの操作マニュアルや、生体情報センサの仕様に関する印刷物が添付されている。しかしながら、医療従事者が生体情報センサを使用する際に、操作マニュアルの印刷物等の保管場所を把握していない場合には、当該印刷物を探す手間が生じてしまう。さらに、医療従事者は、当該印刷物を紛失する場合も想定される。
【０００５】
かかる場合では、医療従事者は、生体情報センサを用いた適切な診断を行うことができない可能性がある。このように、生体情報センサの操作マニュアル等の生体情報センサに関連する情報の観点から生体情報センサのユーザビリティをさらに改善させる余地がある。
【０００６】
本開示は、ユーザビリティが向上した生体情報センサ及び生体情報表示システムを提供することを目的とする。
【課題を解決するための手段】
【０００７】
本開示の一態様に係る生体情報センサは、被検者の生体組織から生体情報を取得するように構成されたセンサ部と、
通信ネットワーク上に配置されたＷＥＢサーバによって提供される電子コンテンツにアクセス可能なＵＲＩ情報が保存されたメモリと、
を備える。
前記生体情報センサが生体情報表示装置に通信可能に接続された場合に、前記ＵＲＩ情報が前記メモリから前記生体情報表示装置に送信される。
前記電子コンテンツは、前記生体情報センサに関連した情報を含む。
【０００８】
本開示の一態様に係る生体情報表示システムは、被検者の生体組織から生体情報を取得する生体情報センサと、前記生体情報センサに通信可能に接続される生体情報表示装置とを備える。
前記生体情報センサは、前記被検者から生体情報を取得するように構成されたセンサ部を備える。
前記生体情報表示装置は、
前記センサ部から前記生体情報を取得し、
通信ネットワーク上に配置されたＷＥＢサーバによって提供される電子コンテンツにアクセス可能なＵＲＩ情報を参照することで、前記ＷＥＢサーバから前記電子コンテンツを取得し、
前記取得された電子コンテンツを表示する、
ように構成される。
前記生体情報センサが生体情報表示装置に通信可能に接続された場合に、前記生体情報表示装置は、前記ＵＲＩ情報を参照することで前記ＷＥＢサーバから前記電子コンテンツを取得する。
前記電子コンテンツは、前記生体情報センサに関連した情報を含む。
【発明の効果】
【０００９】
本開示によれば、ユーザビリティが向上した生体情報センサ及び生体情報表示システムを提供することができる。
【図面の簡単な説明】
【００１０】
【図１】本発明の実施形態（以下、単に本実施形態という。）に係る生体情報表示システムを示す概要図である。
【図２】本実施形態に係るパルスオキシメータ及び生体情報表示装置のハードウェア構成の一例を示す図である。
【図３】パルスオキシメータの操作マニュアルに関連した情報を視覚的に医療従事者に提示する方法の一例を説明するためのフローチャートである。
【図４】パルスオキシメータの操作マニュアルに関連した情報を視覚的に医療従事者に提示する方法の他の一例を説明するためのフローチャートである。
【発明を実施するための形態】
【００１１】
以下、本発明の実施形態（以下、本実施形態という。）について図面を参照しながら説明する。図１は、本実施形態に係る生体情報表示システム１００を示す概要図である。図１に示すように、生体情報表示システム１００は、被検者の生体組織（例えば、手指等）に装着される生体情報センサ１と、生体情報センサ１に通信可能に接続される生体情報表示装置２（以下、表示装置２という。）を備える。尚、本実施形態では、生体情報センサ１の一例として、パルスオキシメータについて説明する。
【００１２】
生体情報センサ１は、プローブ１２と、ケーブル１３と、コネクタ１６とを有する。プローブ１２は、例えば、被検者の手指に巻き付けられることで、被検者の手指に装着される。ケーブル１３は、プローブ１２とコネクタ１６とを物理的及び電気的に接続するように構成されている。コネクタ１６が表示装置２のコネクタ挿入部２１に挿入されることで、生体情報センサ１と表示装置２は、互いに物理的及び通信可能に接続される。さらに、生体情報センサ１と表示装置２が互いに物理的及び通信可能に接続された状態で、表示装置２から出力された電気信号は、コネクタ１６及びケーブル１３を介してプローブ１２に供給される。
【００１３】
表示装置２は、被検者の生体情報を視覚的に提示するように構成されている。表示装置２は、被検者の生体情報のトレンドグラフを表示するための専用装置（例えば、生体情報モニタ）であってもよいし、例えば、パーソナルコンピュータ、ワークステーション、スマートフォン、タブレット、医療従事者の身体（例えば、腕や頭等）に装着されるウェアラブルデバイス（例えば、スマートウォッチやＡＲグラス等）であってもよい。また、表示装置２は、通信ネットワーク３を通じてＷＥＢサーバ４に通信可能に接続されている。通信ネットワーク３は、インターネット、ＬＡＮ（Ｌｏｃａｌ  Ａｒｅａ  Ｎｅｔｗｏｒｋ）及びＷＡＮ（Ｗｉｄｅ  Ａｒｅａ  Ｎｅｔｗｏｒｋ）のうちの少なくとも一つによって構成される。ＷＥＢサーバ４は、通信ネットワーク３上に配置されており、端末からのアクセス要求に従って、ＨＴＭＬファイル（ＷＥＢページ）、ＰＤＦファイル、画像ファイル（例えば、静止画像ファイル及び動画像ファイル等）等の電子コンテンツを提供するように構成されている。特に、ＷＥＢサーバ４は、表示装置２からのアクセス要求に従って、生体情報センサ１に関連した情報（特に、生体情報センサ１の操作マニュアルに関連した情報）を含む電子コンテンツを表示装置２に送信するように構成されている。
【００１４】
次に、図２を参照することで、生体情報センサ１及び表示装置２のハードウェア構成について以下に説明する。図２は、生体情報センサ１及び表示装置２のハードウェア構成の一例を示す図である。図２に示すように、生体情報センサ１は、メモリ１７と、発光部１８と、受光部１９とを備える。
【００１５】
メモリ１７は、例えば、ＲＯＭ（Ｒｅａｄ  Ｏｎｌｙ  Ｍｅｍｏｒｙ）である。メモリ１７には、ＷＥＢサーバ４によって提供される電子コンテンツにアクセス可能なＵＲＬ（Ｕｎｉｆｏｒｍ  Ｒｅｓｏｕｒｃｅ  Ｌｏｃａｔｏｒ）を示すＵＲＬ情報が保存されている。ＵＲＬは、例えば、通信プロトコルと、ドメイン名と、ディレクトリ名と、ファイル名から構成されている。尚、ＵＲＬは、ドメイン名の代わりにＷＥＢサーバ４のＩＰアドレスを含んでもよい。また、本実施形態では、ＵＲＩ（Ｕｎｉｆｏｒｍ  Ｒｅｓｏｕｒｃｅ  Ｉｄｅｎｔｉｆｉｅｒ）情報の一例として、ＵＲＬ情報がメモリ１７に保存されているが、ＵＲＬ情報の代わりにＵＲＮ（Ｕｎｉｆｏｒｍ  Ｒｅｓｏｕｒｃｅ  Ｎａｍｅ）情報がメモリ１７に保存されてもよい。
【００１６】
また、メモリ１７は、例えば、生体情報センサ１のコネクタ１６に配置されている。具体的には、メモリ１７は、コネクタ１６の内部に設けられた回路基板上に搭載されてもよい。
【００１７】
発光部１８は、生体情報センサ１のプローブ１２に配置されており、被検者の手指等の生体組織に向けて光を出射するように構成されている。発光部１８は、例えば、赤色光を発光するように構成された赤色光ＬＥＤと、赤外光を発光するように構成された赤外光ＬＥＤを有する。赤色光ＬＥＤと赤外光ＬＥＤは、交互に光を出射するように駆動制御される。例えば、赤外光ＬＥＤに供給されるパルス電流がハイレベルの場合、赤色光ＬＥＤに供給されるパルス電流はローレベルとなる。一方、赤外光ＬＥＤに供給されるパルス電流がローレベルの場合、赤色光ＬＥＤに供給されるパルス電流はハイレベルとなる。
【００１８】
受光部１９は、生体情報センサ１のプローブ１２に配置されている。受光部１９は、発光部１８から出射されて被検者の手指等の生体組織を通過あるいは反射した光を受光することで脈波を示す脈波信号（電気信号）を生成するように構成されている。受光部１９は、例えば、ＰＤ（Ｐｈｏｔｏｄｉｏｄｅ）等の光電変換素子である。受光部１９の数は特に限定されない。例えば、発光部１８が赤色光ＬＥＤと赤外光ＬＥＤを有する場合、受光部１９は、赤色光ＬＥＤから出射された赤色光及び赤外光ＬＥＤから出射された赤外光に対して光感応性を有する。発光部１８と受光部１９は、被検者の脈波に関連する脈波情報（生体情報の一例）を取得するように構成されたセンサ部として機能する。
【００１９】
赤色光は、手指の血管内を流れる血液中に含まれる酸化ヘモグロビン（ＨｂＯ２）にはあまり吸収されない。一方、赤色光は、血液中に含まれるヘモグロビン（Ｈｂ）によく吸収される。つまり、血液中に酸化ヘモグロビンが多く含まれる場合には、多くの赤色光が手指を通過して受光部１９によって受光される。反対に、血液中に酸化ヘモグロビンが多く含まれていない場合には、受光部１９によって受光される赤色光の光強度は小さくなる。このように、血液中の酸化ヘモグロビンの割合に応じて受光部１９によって受光される赤色光の光強度は変化する。一方、赤外光は、酸化ヘモグロビン及びヘモグロビンにはあまり吸収されない。より具体的には、赤外光に対する酸化ヘモグロビンの吸収係数と赤外光に対するヘモグロビンの吸収係数との間に大きな差はない。このため、受光部１９によって受光される赤色光の光強度と受光部１９によって受光される赤外光の光強度との間の比率を用いて、被検者のＳｐＯ２値を算出することが可能となる。
【００２０】
また、表示装置２は、センサインターフェース２３と、制御部２４と、記憶装置２５と、ネットワークインターフェース２６と、入力操作部２７と、表示部２８と、ＧＰＳ（Ｇｌｏｂａｌ  Ｐｏｓｉｔｉｏｎｉｎｇ  Ｓｙｓｔｅｍ）２９と、電源部３０とを備える。電源部３０を除くこれらの要素はバス３８を通じて互いに通信可能に接続されている。
【００２１】
センサインターフェース２３は、生体情報センサ１と通信可能に接続されており、リーダ３２と、駆動回路部３３と、アナログ処理部３６と、ＡＤ変換部３７とを備える。リーダ３２は、生体情報センサ１が表示装置２に通信可能に接続された場合に、メモリ１７に保存されたＵＲＬ情報を取得するように構成されている。換言すれば、ＵＲＬ情報がメモリ１７からリーダ３２に送信される。駆動回路部３３は、制御部２４から出力される制御信号に基づいて発光部１８に供給される駆動電流（パルス電流）を制御するように構成されている。例えば、駆動回路部３３は、赤色光ＬＥＤに供給されるパルス電流のタイミングと赤外光ＬＥＤに供給されるパルス電流のタイミングを制御するように構成される。
【００２２】
アナログ処理部３６は、受光部１９から出力された脈波信号（光電変換された電気信号）を増幅すると共に、増幅された脈波信号のノイズ成分（例えば、高周波成分）をフィルタリングするように構成されている。ＡＤ変換部３７は、制御部２４から出力された制御信号に基づいて、アナログ処理部３６から出力された脈波信号（アナログ信号）をデジタル信号に変換するように構成されている。
【００２３】
制御部２４は、プロセッサと、メモリを有する。プロセッサは、ＣＰＵ(Ｃｅｎｔｒａｌ  Ｐｒｏｃｅｓｓｉｎｇ  Ｕｎｉｔ)、ＧＰＵ（Ｇｒａｐｈｉｃｓ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のうちの少なくとも一つを含む。メモリは、ＲＡＭ（Ｒａｎｄｏｍ  Ａｃｃｅｓｓ  Ｍｅｍｏｒｙ）及びＲＯＭを含む。プロセッサは、記憶装置２５又はＲＯＭに組み込まれた各種プログラムから指定されたプログラムをＲＡＭ上に展開し、ＲＡＭとの協働で各種処理を実行するように構成されてもよい。
【００２４】
制御部２４は、表示装置２の各種動作を制御するように構成されている。また、制御部２４は、ＡＤ変換部３７から脈波信号のデジタル信号（以下、単にデジタル信号という。）を受信すると共に、プロセッサのタイマー機能を用いることで、デジタル信号と時間情報が互いに関連付けられた脈波データを取得することができる。脈波データは、受光部１９によって受光された光の強度に関する情報と、時間情報とを有する。脈波データは、赤色光に関連付けられた脈波データと、赤外光に関連付けられた脈波データを含んでもよい。脈波データは、ＲＡＭ又は記憶装置２５に保存されてもよい。
【００２５】
また、制御部２４は、生成された脈波データに基づいて、ＳｐＯ２値の時間変化を示すＳｐＯ２値データ及び／又は脈拍数の時間変化を示す脈拍数データを生成してもよい。制御部２４は、赤色光に関連付けられた脈波データと赤外光に関連付けられた脈波データに基づいて、ＳｐＯ２値データを生成することができる。このように、制御部２４は、ＡＤ変換部３７から出力されたデジタル信号に基づいて、脈波データ、ＳｐＯ２値データ及び／又は脈拍数データを取得することができる。
【００２６】
記憶装置２５は、例えば、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、フラッシュメモリ等の記憶装置（ストレージ）であって、プログラムや各種データを格納するように構成されている。例えば、脈波データ、ＳｐＯ２値データ及び／又は脈拍数データが記憶装置２５に保存されてもよい。
【００２７】
ネットワークインターフェース２６は、表示装置２を通信ネットワーク３に接続するように構成されている。具体的には、ネットワークインターフェース２６は、通信ネットワーク３を介してＷＥＢサーバ４と通信するための各種有線接続端子を含んでもよい。また、ネットワークインターフェース２６は、アクセスポイントと無線接続するための各種処理回路及びアンテナ等を含んでもよい。表示装置２とアクセスポイントとの間の無線通信規格は、例えば、Ｗｉ−Ｆｉ（登録商標），Ｂｌｕｅｔｏｏｔｈ（登録商標），ＺｉｇＢｅｅ（登録商標）又はＬＰＷＡである。
【００２８】
表示部２８は、液晶ディスプレイ、有機ＥＬディスプレイ等の表示装置であってもよいし、操作者の頭に装着される透過型又は非透過型のヘッドマウントディスプレイ等の表示装置であってもよい。さらに、表示部２８は、映像をスクリーン上に投影するプロジェクター装置であってもよい。入力操作部２７は、表示装置２を操作する医療従事者の入力操作を受付けると共に、当該入力操作に対応する指示信号を生成するように構成されている。入力操作部２７は、例えば、表示部２８上に重ねて配置されたタッチパネル、筐体に取り付けられた操作ボタン、マウス及び／又はキーボード等である。入力操作部２７によって生成された指示信号がバス３８を介して制御部２４に送信された後、制御部２４は、送信された指示信号に応じて所定の動作を実行する。ＧＰＳ２９は、表示装置２の現在位置を示す位置情報（経度、緯度）を取得するように構成されている。電源部３０は、表示装置２の各要素に電気的エネルギーを供給するように構成されている。
【００２９】
次に、図３を参照することで、生体情報センサ１の操作マニュアルに関連した情報（生体情報センサ１に関連する情報の一例）を視覚的に医療従事者に提示する方法の一例について説明する。図３は、生体情報センサ１の操作マニュアルに関連した情報を視覚的に医療従事者に提示する方法の一例を説明するためのフローチャートである。
【００３０】
図３に示すように、ステップＳ１において、制御部２４は、生体情報センサ１が表示装置２に物理的に接続されたかどうかを判定する。特に、制御部２４は、生体情報センサ１のコネクタ１６が表示装置２のコネクタ挿入部２１に挿入されたかどうかを判定する。ステップＳ１の判定結果がＮＯである場合、制御部２４は、ステップＳ１の判定処理を再び実行する。
【００３１】
一方、ステップＳ１の判定結果がＹＥＳの場合、制御部２４は、生体情報センサ１との通信を確立する（ステップＳ２）。例えば、制御部２４は、生体情報センサ１との通信を確立する際に、表示装置２に物理的に接続された生体情報センサ１のコネクタ１６が、他の生体情報を取得する医療機器のコネクタかどうかを判定する。詳細には、表示装置２において、生体情報センサ１を示す情報をメモリ１７から取得した上で、当該取得された情報を参照することで生体情報センサ１であるか、他の医療機器を示すかどうかを判定してもよい。制御部２４は、生体情報センサ１がパルスオキシメータであると判定した場合に、生体情報センサ１との通信を確立してもよい。一方、制御部２４は、生体情報センサ１がパルスオキシメータではないと判定した場合に、生体情報センサ１との通信を拒絶してもよい。
【００３２】
次に、制御部２４は、リーダ３２を通じてメモリ１７からＷＥＢサーバ４によって提供される電子コンテンツにアクセス可能なＵＲＬ情報を取得する（ステップＳ３）。また、ステップＳ３の処理以降では、制御部２４は、センサインターフェース２３を介して生体情報センサ１（特に、受光部１９）から脈波信号をリアルタイムに取得した上で、取得された脈波信号に基づいて、脈波データ、ＳｐＯ２値データ及び／又は脈拍数データを生成する。制御部２４は、脈波データ等のトレンドグラフを表示部２８に表示する。表示部２８に表示されたトレンドグラフは、リアルタイムに更新されてもよい。
【００３３】
次に、ステップＳ４において、制御部２４は、メモリ１７から取得されたＵＲＬ情報を参照することで、ネットワークインターフェース２６を介して通信ネットワーク３上に配置されたＷＥＢサーバ４から、生体情報センサ１の操作マニュアルに関連した情報を含む電子コンテンツを取得する。この点において、最初に、制御部２４は、ＵＲＬ情報のドメイン名に対応するＷＥＢサーバ４のＩＰアドレスをＤＮＳサーバから取得する。次に、制御部２４は、取得されたＷＥＢサーバ４のＩＰアドレスを参照することで、電子コンテンツのアクセス要求をＷＥＢサーバ４に送信する。次に、ＷＥＢサーバ４は、表示装置２からの電子コンテンツのアクセス要求に応じて、電子コンテンツを表示装置２に送信する。
【００３４】
ここで、電子コンテンツは、ＨＴＭＬファイル、ＰＤＦファイル、動画ファイル等の電子ファイルを含む概念である。また、生体情報センサ１の操作マニュアルに関連した情報とは、生体情報センサ１の操作マニュアルを示す情報であってもよいし、当該操作マニュアルを示す別の電子コンテンツ（例えば、ＰＤＦファイル等）へのリンクを示す情報であってもよい。この点において、取得された電子コンテンツが操作マニュアルを示す別の電子コンテンツへのリンクを示す情報を含む場合に、医療従事者が入力操作部２７を通じて当該リンクを指定することで、表示装置２は、ＷＥＢサーバ４から操作マニュアルを示す別の電子コンテンツを取得することができる。
【００３５】
次に、制御部２４は、ＷＥＢブラウザを用いてＷＥＢサーバ４から取得された電子コンテンツを表示部２８に表示する（ステップＳ５）。このように、生体情報センサ１の操作マニュアルに関連する情報が表示部２８を通じて医療従事者に視覚的に提供される。
【００３６】
本実施形態によれば、生体情報センサ１が表示装置２に通信可能に接続された場合に、ＵＲＬ情報がメモリ１７から表示装置２に送信される。次に、表示装置２は、ＵＲＬ情報を参照することで、通信ネットワーク３上に配置されたＷＥＢサーバ４から生体情報センサ１の操作マニュアルに関連した情報を含む電子コンテンツを取得することが可能となる。したがって、生体情報センサ１の使用経験が未だ浅い医療従事者は、生体情報センサ１の操作マニュアルの印刷物等を事前に用意せずに、表示装置２の表示部２８（具体的には、ＷＥＢブラウザ）を通じて生体情報センサ１の操作マニュアルに関連した情報を確認することができる。このように、ユーザビリティが向上した生体情報センサ１、表示装置２及び生体情報表示システム１００を提供することができる。
【００３７】
また、ＷＥＢサーバ４から取得された電子コンテンツは、複数の言語で記載された生体情報センサ１の操作マニュアルを示す情報を含んでもよい。例えば、電子コンテンツが日本語で記載された生体情報センサ１の操作マニュアルと中国語で記載されたパルスオキシメータの操作マニュアルとを含む場合を想定する。この場合、日本人の医療従事者は、日本語で記載された生体情報センサ１の操作マニュアルを閲覧可能である一方、中国人の医療従事者は、中国語で記載された生体情報センサ１の操作マニュアルを閲覧可能である。このように、医療従事者は表示装置２を通じて複数の言語で生体情報センサ１に関連した情報を閲覧できるので、ユーザビリティが向上した生体情報センサ１、表示装置２及び生体情報表示システム１００を提供することができる。
【００３８】
次に、図４を参照することで、生体情報センサ１の操作マニュアルに関連した情報を視覚的に医療従事者に提示する方法の他の一例について説明する。図４は、生体情報センサ１の操作マニュアルに関連した情報を視覚的に医療従事者に提示する方法の他の一例を説明するためのフローチャートである。本例では、表示装置２の位置情報に応じて参照すべきＵＲＬ情報を決定する点で図３に示す方法とは相違する。
【００３９】
図４に示すように、ステップＳ１０において、制御部２４は、生体情報センサ１が表示装置２に物理的に接続されたかどうかを判定する。ステップＳ１０の判定結果がＹＥＳの場合に、制御部２４は、生体情報センサ１との通信を確立する（ステップＳ１１）。次に、制御部２４は、リーダ３２を通じてメモリ１７から複数のＵＲＬ情報を取得する（ステップＳ１２）。ここで、複数のＵＲＬ情報の各々は、複数の電子コンテンツのうちの対応する一つにアクセス可能である。さらに、複数の電子コンテンツの各々は、複数の言語のうちの対応する一つの言語で記載された生体情報センサ１の操作マニュアルに関連した情報を含む。例えば、ＷＥＢサーバ４が電子コンテンツＡ−Ｃを保存している場合を想定する。ここで、電子コンテンツＡは、日本語で記載された生体情報センサ１の操作マニュアルを含む。電子コンテンツＢは、英語で記載された生体情報センサ１の操作マニュアルを含む。電子コンテンツＣは、中国語で記載された生体情報センサ１の操作マニュアルを含む。この場合、メモリ１７には、電子コンテンツＡにアクセス可能なＵＲＬ情報と、電子コンテンツＢにアクセス可能なＵＲＬ情報と、電子コンテンツＣにアクセス可能なＵＲＬ情報が保存されてもよい。また、複数のＵＲＬ情報の各々は、複数の公用言語のうちの一つに関連付けられている。つまり、各ＵＲＬ情報は、対応する公用言語を示すメタデータを有する。例えば、電子コンテンツＢにアクセス可能なＵＲＬ情報は、公用言語として英語を示すメタデータを有する。
【００４０】
次に、制御部２４は、ＧＰＳ２９を用いて表示装置２の位置情報を取得する（ステップＳ１３）。その後、制御部２４は、取得された表示装置２の位置情報に基づいて、メモリ１７から取得された複数のＵＲＬ情報のうちの一つを選択する（ステップＳ１４）。この点において、制御部２４は、表示装置２の位置情報に基づいて、表示装置２が現在位置している地域（例えば、国等）で使用されている公用言語を特定する。次に、制御部２４は、各ＵＲＬ情報のメタデータを参照することで、特定された公用言語に関連付けられたＵＲＬ情報を選択する。例えば、表示装置２が米国に現在位置している場合に、制御部２４は、表示装置２の位置情報に基づいて、公用言語を英語として特定する。次に、制御部２４は、各ＵＲＬ情報のメタデータを参照することで、複数のＵＲＬ情報から英語に関連付けられたＵＲＬ情報を選択する。
【００４１】
次に、制御部２４は、選択されたＵＲＬ情報を参照することで、ネットワークインターフェース２６を介して通信ネットワーク３上に配置されたＷＥＢサーバ４から当該選択されたＵＲＬ情報に対応する電子コンテンツを取得する（ステップＳ１５）。換言すれば、制御部２４は、ＷＥＢサーバ４から表示装置２の位置情報に対応する公用言語で記載された生体情報センサ１の操作マニュアルに関連した情報を含む電子コンテンツを取得する。例えば、制御部２４は、英語に関連付けられたＵＲＬ情報を参照することで、英語で記載された操作マニュアルに関連した情報を含む電子コンテンツを取得する。
【００４２】
その後、制御部２４は、ＷＥＢブラウザを用いてＷＥＢサーバ４から取得された電子コンテンツを表示部２８に表示する（ステップＳ１６）。このように、表示装置２の位置情報に対応する公用言語で記載された生体情報センサ１の操作マニュアルに関連した情報が表示部２８を通じて医療従事者に視覚的に提供される。
【００４３】
本実施形態によれば、表示装置２の位置情報に基づいて複数のＵＲＬ情報のうちの一つが選択された上で、当該選択されたＵＲＬ情報に対応する電子コンテンツが取得される。このように、医療従事者は、表示装置２を通じて、表示装置２の位置情報に関連した言語で生体情報センサ１の操作マニュアルに関連した情報を確認することができる。例えば、表示装置２を操作する医療従事者が米国にいる場合に、当該医療従事者は、米国の公用言語である英語で記載された操作マニュアルを確認可能となる。したがって、ユーザビリティが向上した生体情報センサ１、表示装置２及び生体情報表示システム１００を提供することができる。
【００４４】
尚、本例では、制御部２４は、ＧＰＳ２９を用いて表示装置２の位置情報を取得しているが、ＧＰＳ２９の代わりに表示装置２のＩＰアドレスに基づいて表示装置２の位置情報を取得してもよい。この場合、制御部２４は、表示装置２のＩＰアドレスに基づいて、表示装置２が現在位置している地域（例えば、国等）を少なくとも特定することができるため、表示装置２が現在位置している地域で使用されている公用言語を特定することができる。
【００４５】
また、本実施形態では、生体情報センサ１に関連した情報の一例として、生体情報センサ１の操作マニュアルに関連した情報を視覚的に医療従事者に提示する方法の一例について説明したが、本実施形態はこれに限定されるものではない。例えば、生体情報センサ１に関連した情報は、ｉ）生体情報センサ１の操作マニュアルに関連する情報、ｉｉ）生体情報センサ１の仕様に関連した情報、ｉｉｉ）生体情報センサ１のパンフレットに関連した情報及びｉｖ）生体情報センサ１を取り付けた被検者に関連する情報のうちの少なくとも一つを含んでもよい。この場合、ＷＥＢサーバ４から取得される電子コンテンツは、上記ｉ）からｉｖ）の情報のうちの少なくとも一つを含んでもよい。
【００４６】
さらに、本実施形態の説明では、表示装置２は、生体情報センサ１との通信を確立した後に、生体情報センサ１のメモリ１７からＵＲＬ情報を取得しているが、本実施形態はこれには限定されるものではない。例えば、ＵＲＬ情報は、制御部２４のメモリ又は記憶装置２５に保存されていてもよい。この場合、制御部２４は、生体情報センサ１との通信を確立した後に、制御部２４のメモリ又は記憶装置２５に保存されたＵＲＬ情報を参照することで、ＷＥＢサーバ４から電子コンテンツを取得してもよい。さらに、制御部２４は、表示装置２の位置情報を取得した後に、表示装置２の位置情報に基づいて、制御部２４のメモリ又は記憶装置２５に保存された複数のＵＲＬ情報のうちの一つを選択してもよい。
【００４７】
また、本実施形態では、生体情報センサの一例として生体情報センサ１について説明したが、生体情報センサの種類はパルスオキシメータに限定されるものではない。例えば、パルスオキシメータの代わりに被検者の心電図情報を取得する心電図センサ、ＣＯ２センサ、血圧測定カフ、脳波計用電極、体温測定プローブ等が生体情報センサとして使用されてもよい。また、それぞれの生体情報センサは、被検者に装着されなくてもよく、非接触のセンサであってもよい。
【００４８】
以上、本発明の実施形態について説明をしたが、本発明の技術的範囲が本実施形態の説明によって限定的に解釈されるべきではない。本実施形態は一例であって、特許請求の範囲に記載された発明の範囲内において、様々な実施形態の変更が可能であることが当業者によって理解されるところである。本発明の技術的範囲は特許請求の範囲に記載された発明の範囲及びその均等の範囲に基づいて定められるべきである。
【符号の説明】
【００４９】
１：生体情報センサ
２：生体情報表示装置（表示装置）
３：通信ネットワーク
４：ＷＥＢサーバ
１２：プローブ
１３：ケーブル
１６：コネクタ
１７：メモリ
１８：発光部
１９：受光部
２１：コネクタ挿入部
２３：センサインターフェース
２４：制御部
２５：記憶装置
２６：ネットワークインターフェース
２７：入力操作部
２８：表示部
３０：電源部
３２：リーダ
３３：駆動回路部
３６：アナログ処理部
３７：ＡＤ変換部
３８：バス
１００：生体情報表示システム
【図１】
2019175285.tif 000003
【図２】
2019175285.tif 000004
【図３】
2019175285.tif 000005
【図４】
2019175285.tif 000006